(57)【要約】      （修正有）【課題】雪上での走行性能を向上させるとともに、タイヤの使用に伴う、トレッド踏面の摩耗による雪上性能の低下を抑制して、長期間にわたってすぐれた雪上性能を発揮することができる空気入りタイヤを提供する。【解決手段】トレッド踏面に周方向に連続して延びる一本以上の環状周溝２を設け、環状周溝２により複数の陸部を区画形成してなる空気入りタイヤであって、陸部表面に、一箇所以上の交点Ｖ１で相互に交わって延びるとともに、両端が陸部内で終端する複数本の閉鎖溝１１，１２を設け、複数本の閉鎖溝１１，１２のそれぞれにより、閉鎖溝１１，１２の交点Ｖ１から少なくとも三方向に広がる放射状部分を有する交差溝１３を形成し、交差溝１３を構成する閉鎖溝１１，１２の一本以上を、タイヤ半径方向内側に向かう途中で分岐させて、分岐閉鎖溝１１の、他の閉鎖溝１２との交点の個数を、分岐位置Ｂに対し、タイヤ半径方向外側よりも内側で増加させてなる。【選択図】図２
2013001340.tif 000002
【特許請求の範囲】
【請求項１】
トレッド踏面に、トレッド周方向に連続して延びる一本以上の環状周溝を設け、該環状周溝により複数の陸部を区画形成してなる空気入りタイヤであって、
陸部表面に、該陸部表面で一箇所以上の交点で相互に交わって延びるとともに、両端が該陸部内で終端する複数本の閉鎖溝を設けて、該複数本の閉鎖溝のそれぞれにより、閉鎖溝の前記交点から少なくとも三方向に広がる放射状部分を有する交差溝を形成し、
交差溝を形成する前記閉鎖溝の一本以上を、タイヤ半径方向内側に向かう途中で分岐させて、該分岐閉鎖溝の、他の閉鎖溝との交点の個数を、分岐位置に対し、タイヤ半径方向外側よりも内側で増加させてなる空気入りタイヤ。
【請求項２】
分岐閉鎖溝の分岐位置の、陸部表面からの深さＤを、適応リムに組み付けて規定内圧を充填したタイヤ姿勢で、環状周溝の溝深さＤｐから３．２ｍｍを差し引いた深さ（Ｄｐ−３．２ｍｍ）の３０％〜７０％の範囲内としてなる請求項１に記載の空気入りタイヤ。
【請求項３】
複数本の前記閉鎖溝のうち、トレッド幅方向の延在成分に比してトレッド周方向の延在成分の大きい閉鎖縦溝を、前記分岐閉鎖溝としてなる請求項１もしくは２に記載の空気入りタイヤ。
【請求項４】
分岐閉鎖溝の、分岐位置よりタイヤ半径方向内側に存在する分岐部分の、前記分岐位置での溝幅を、適応リムに組み付けて規定内圧を充填したタイヤ姿勢で、２ｍｍ〜５ｍｍの範囲内としてなる請求項１〜３のいずれかに記載の空気入りタイヤ。
【請求項５】
分岐閉鎖溝の分岐部分の溝深さを、該分岐部分での、他の閉鎖溝との交点を含む、分岐閉鎖溝の延在長さの５０％以上の領域で、環状周溝の溝深さの５０％以上としてなる請求項１〜４のいずれかに記載の空気入りタイヤ。
【請求項６】
トレッド踏面に二本以上の環状周溝を設けて、トレッド幅方向の最外側のそれぞれに位置するショルダー陸部を区画形成し、前記交差溝をショルダー陸部に配設してなる請求項１〜５のいずれかに記載の空気入りタイヤ。
【請求項７】
前記閉鎖溝の少なくとも一端を、該閉鎖溝よりも溝幅が狭い、トレッド接地面内で溝開口が密着するサイプに連通させてなる請求項１〜６のいずれかに記載の空気入りタイヤ。
【発明の詳細な説明】
【技術分野】
【０００１】
この発明は、トレッド踏面に、溝によって複数の陸部を区画形成してなる空気入りタイヤ、なかでも、乗用車に用いて好適なタイヤに関するものであり、とくに、雪上での走行性能を向上させるとともに、タイヤの使用に伴って、トレッド踏面が摩耗してなお、すぐれた雪上性能を発揮させる技術を提案するものである。
【背景技術】
【０００２】
スタッドレスタイヤ等で、雪上走行時の、とくにトラクション性能を向上させるため、トレッド踏面に設けた周溝および横溝によって画成される複数のブロックの、トレッド周方向の長さを短くしたり、ブロックに設ける、トレッド幅方向に延びるサイプの本数を増やしたりすることによって、トレッド接地面内での、ブロックエッジ、サイプエッジの増加に基いて、氷雪路面に対する引掻き効果を高めることは広く知られている。
【発明の概要】
【発明が解決しようとする課題】
【０００３】
しかるに、上述した手法では、ブロックの周方向長さの短縮化、サイプ本数の増加に起因して、ブロックのトレッド周方向の剪断剛性が低下するので、乾燥路面での制動性能が悪化するとともに、ブロックの蹴出側部分が、踏込側部分に比して局部的に早期に摩耗することによるヒールアンドトー摩耗と称される偏摩耗が発生するという問題があった。
【０００４】
また、空気入りタイヤでは一般に、使用に伴うトレッド踏面の摩耗により、トレッド踏面に設けた溝の容積が次第に減少することから、雪上走行時に、トレッド接地面内で、トレッド踏面の溝の内部に入り込む雪の体積が減少して、周溝等の内部で押し固められて形成される雪柱の剪断力が低下することになり、しかも、タイヤの使用に伴う、ブロックを形成するゴムの硬化によって、氷雪路面に対するサイプ等のエッジ効果もまた十分に発揮し得なくなるので、上述した手法によっては、雪上トラクション性能を、長期間にわたって高く維持することができなかった。
一方、上記の手法で、トレッドゴムの摩滅によって、雪柱剪断力の発揮に基く雪上性能が低下しても、高いエッジ効果をもってこれを補うべく、ブロックの周方向長さを一層短くし、ブロックに設ける、トレッド幅方向の延在成分を有するサイプの本数をさらに増やした場合は、ブロックの周方向剪断剛性の大幅な低下を招く結果、乾燥路面での制駆動性能の悪化および、ヒールアンドトー摩耗の発生という上記の問題がより重大化することになる。
【０００５】
この発明は、従来技術が抱えるこのような問題を解決することを課題とするものであり、それの目的とするところは、トレッド踏面に区画形成した陸部の剛性を大きく低下させることなしに、雪上での走行性能を向上させるとともに、タイヤの使用に伴う、トレッド踏面の摩耗による雪上性能の低下を防止して、長期間にわたってすぐれた雪上性能を発揮することができる空気入りタイヤを提供するにある。
【課題を解決するための手段】
【０００６】
この発明の空気入りタイヤは、トレッド踏面に、トレッド周方向に連続して延びる一本以上の環状周溝を設けて、該環状周溝により複数の陸部を区画形成してなるものであって、陸部表面に、該陸部表面で一箇所以上の交点で相互に交わって延びるとともに、両端が該陸部内で終端する複数本の閉鎖溝を設け、該複数本の閉鎖溝のそれぞれにより、閉鎖溝の前記交点から少なくとも三方向に広がる放射状部分を有する交差溝を形成し、交差溝を形成する前記閉鎖溝の一本以上を、タイヤ半径方向内側に向かう途中で分岐させて、該分岐閉鎖溝の、他の閉鎖溝との交点の個数を、分岐位置に対し、タイヤ半径方向外側よりも内側で増加させてなるものである。
ここでいう「終端」とは、陸部表面で延在する閉鎖溝が、環状周溝や、トレッド踏面に設けることのできるラグ溝その他の、サイプよりも溝幅の大きい溝に開口することなく、その陸部内で終了していることを意味する。またここで、「閉鎖溝」とは、タイヤの負荷転動に当り、接地面内で溝開口が相互に密着しない程度の溝開口幅を有するものをいう。
【０００７】
ここで、前記分岐閉鎖溝の分岐位置の、陸部表面からの深さＤは、適応リムに組み付けて規定内圧を充填したタイヤ姿勢で、環状周溝の溝深さＤｐから３．２ｍｍを差し引いた深さ（Ｄｐ−３．２ｍｍ）の３０％〜７０％の範囲内とすることが好ましい。
【０００８】
なお、「適応リム」とは、タイヤサイズに応じて下記の規格に規定されたリムをいい、「規定内圧」とは、下記の規格において、最大負荷能力に対応して規定される空気圧をいい、「最大負荷能力」とは、下記の規格でタイヤに負荷されることが許容される最大の質量をいう。
そして、その規格とは、タイヤが生産または使用される地域に有効な産業規格をいい、たとえば、アメリカ合衆国では、“ＴＨＥ  ＴＩＲＥ  ＡＮＤ  ＲＩＭ  ＡＳＳＯＣＩＡＴＩＯＮ  ＩＮＣ．のＹＥＡＲ  ＢＯＯＫ”であり、欧州では、“Ｔｈｅ  Ｅｕｒｏｐｅａｎ  Ｔｙｒｅ  ａｎｄ  Ｒｉｍ  Ｔｅｃｈｎｉｃａｌ  ＯｒｇａｎｉｚａｔｉｏｎのＳＴＡＮＤＡＲＤＳ  ＭＡＮＵＡＬ”であり、日本では日本自動車タイヤ協会の“ＪＡＴＭＡ  ＹＥＡＲ  ＢＯＯＫ”である。
【０００９】
ここにおいて、上述した複数本の閉鎖溝のそれぞれは、トレッド周方向の延在成分の大きい閉鎖縦溝および、該閉鎖縦溝に交わって延びる閉鎖横溝とすることができ、この場合は、閉鎖縦溝を、前記分岐閉鎖溝とすることが好ましい。
【００１０】
また、分岐閉鎖溝の、分岐位置よりタイヤ半径方向内側に存在する分岐部分の、前記分岐位置での溝幅は、上述したタイヤ姿勢で、２ｍｍ〜５ｍｍの範囲内とすることが好ましい。
そしてまた、分岐閉鎖溝の分岐部分の溝深さは、該分岐部分での、他の閉鎖溝との交点を含む、分岐閉鎖溝の延在長さの５０％以上の領域で、環状周溝の溝深さの５０％以上とすることが好ましい。
【００１１】
ところで、トレッド踏面に二本以上の環状周溝を設けて、トレッド幅方向の最外側のそれぞれに位置するショルダー陸部を区画形成したときは、前記交差溝をショルダー陸部に配設することが好ましい。
なお好ましくは、前記閉鎖溝の少なくとも一端を、該閉鎖溝よりも溝幅が狭い、トレッド接地面内で溝開口が密着するサイプに連通させる。なおここで、「トレッド接地面」とは、タイヤを適応リムに組み付けて規定内圧を充填した状態の下で、最大負荷能力を負荷したときの接地面をいうものとする。
【発明の効果】
【００１２】
この発明の空気入りタイヤによれば、陸部表面に、該陸部表面で一箇所以上の交点で相互に交わって延びるとともに、両端が該陸部内で終端する複数本の閉鎖溝を設けて、それらの閉鎖溝のそれぞれによって、閉鎖溝の交点から少なくとも三方向に広がる放射状部分を有する交差溝を形成することにより、雪上走行時に、陸部内で終端する閉鎖溝からなる交差溝に入り込んだ雪が、とくに、閉鎖溝の交点を含む前記放射状部分で、大きな雪柱剪断力を発揮することになるので、雪上トラクション性能および制動性能を有効に向上させることができる。
またこのタイヤでは、交差溝を形成する複数本の閉鎖溝が、環状周溝等に開口せずに陸部内で終端することから、ブロックの周方向長さを小さくしたりサイプ本数を増やしたりする従来の手法のような、陸部剛性の大幅な低下を招くことがなく、乾燥路面での所要の制駆動性能を、偏摩耗の発生なしに確保することができる。
【００１３】
しかも、この発明では、交差溝を構成する閉鎖溝の一本以上を、タイヤ半径方向内側に向かう途中で二股以上に分岐させて、その分岐閉鎖溝の、他の閉鎖溝との交点の個数を、分岐位置に対し、タイヤ半径方向外側部分よりも内側部分で増加させることにより、タイヤの使用に伴って陸部表面がある程度摩耗すると、トレッド踏面に、分岐閉鎖溝の分岐部分が露出して、他の閉鎖溝と交わって延びる新たな一本もしくは複数本の閉鎖溝が現れ、分岐閉鎖溝の、他の閉鎖溝との交点の個数が増加することになるので、タイヤの使用に伴う、溝容積の減少等による雪柱剪断力の低下によって十分に機能を発揮し得なくなる雪上トラクション性能および制動性能を、閉鎖溝の交点数の増加に基く雪柱剪断力をもって補って、すぐれた雪上性能を長期間にわたって発揮させることができる。
【００１４】
ここで、分岐閉鎖溝の分岐位置の、陸部表面からの深さＤを、環状周溝の溝深さＤｐから３．２ｍｍを差し引いた深さ（Ｄｐ−３．２ｍｍ）の３０％〜７０％の範囲内としたときは、分岐閉鎖溝の分岐部分を、タイヤの使用に伴うトレッド踏面の摩耗によって、環状周溝等の溝容積が減少して雪上性能が低下する適切な時期に、トレッド踏面に露出させるとともに、その分岐部分の形成による陸部剛性の低下を抑制できるので、所要のドライ走行性能を発揮させつつも、閉鎖溝の交点数の増加によって、雪上性能を効果的に高めることができる。
【００１５】
これはすなわち、分岐閉鎖溝の分岐位置の深さＤを、前記深さ（Ｄｐ−３．２ｍｍ）の３０％未満とした場合は、分岐閉鎖溝の分岐部分が、比較的タイヤ半径方向外側にまで存在することになるので、陸部剛性の低下に起因する、乾燥路面での制駆動性能等の悪化が懸念され、この一方で、分岐閉鎖溝の分岐位置の深さＤを、前記深さ（Ｄｐ−３．２ｍｍ）の７０％を超えるものとした場合は、トレッド踏面の摩耗によって、環状周溝等の溝容積が、所要の雪柱剪断力を十分に発揮し得なくなるほど減少しても、分岐閉鎖溝の分岐部分が未だに露出しないことになって、摩耗時の雪上性能の確保が困難になるおそれがある。
なおここで、環状周溝の深さＤｐから３．２ｍｍを差し引いた深さ（Ｄｐ−３．２ｍｍ）を基準としているのは、一般に新品タイヤで、陸部表面が３．２ｍｍ摩滅するまでは、環状周溝等による所要の雪上性能が十分に確保されていることによる。
【００１６】
またここで、複数本の閉鎖溝のうち、トレッド周方向の延在成分の大きい閉鎖縦溝を、前記分岐閉鎖溝としたときは、トレッド周方向に対して傾斜して延びる、トレッド幅方向の延在成分の大きい閉鎖横溝を分岐させることに起因する、陸部の周方向剛性の大きな低下を招くことなしに、トレッド踏面が摩耗した後に、それらの閉鎖溝からなる交差溝による雪上性能の向上をもたらすことができる。
【００１７】
なお、分岐閉鎖溝の、前記分岐位置での分岐部分の溝幅を、上記のタイヤ姿勢で、２ｍｍ〜５ｍｍとしたときは、乾燥路面での所要の走行性能を確保する一方で、トレッド踏面の摩耗時の、分岐部分での十分大きな雪柱剪断力の発揮に基き、雪上トラクション性能を有効に高めることができる。
つまり、分岐部分の溝幅を２ｍｍ未満とした場合は、溝幅が狭すぎることによって、トレッド踏面の摩耗時に陸部表面に露出した分岐部分で、十分な雪柱剪断力を得ることができないおそれがあり、一方、分岐部分の溝幅を、５ｍｍを超えるものとした場合は、広い溝幅の故に、陸部剛性が大きく低下する懸念がある。
【００１８】
ここにおいて、分岐閉鎖溝の分岐部分の溝深さを、その分岐部分での、他の閉鎖溝との交点を含む、分岐閉鎖溝の延在長さの５０％以上の領域で、環状周溝の溝深さの５０％以上としたときは、とくに大きな雪柱剪断力を発揮する、閉鎖溝の交点近傍の部分、すなわち放射状部分での、分岐部分の溝深さを深くすることにより、その放射状部分で十分大きな雪柱剪断力を発揮させて、雪上トラクション性能をより一層高めることができる。
【００１９】
なお、トレッド踏面に二本以上の環状周溝を設けて、トレッド幅方向の最外側のそれぞれに位置するショルダー陸部を区画形成したタイヤで、前記交差溝をショルダー陸部に配設した場合は、雪上走行時に、接地面内でトレッド幅方向の両側から押し縮められて、路面に対して浮き上がり傾向の下で負荷転動するトレッド部のセンター付近に比して、圧雪効果が大きいショルダー陸部に設けた交差溝によって、雪上トラクション性能をより有効に向上させることができる。
【００２０】
また、閉鎖溝の少なくとも一端を、該閉鎖溝よりも溝幅が狭く、トレッド接地面内で開口が密着するサイプに連通させたときは、閉鎖溝の一端に連通するサイプが、その閉鎖溝の、接地面内での柔軟な変形を許容するので、雪柱剪断力をより効果的に高めることができる。
【図面の簡単な説明】
【００２１】
【図１】この発明の一の実施形態を示すトレッドパターンの部分展開図である。
【図２】図１のタイヤの、閉鎖溝の分岐態様を示す、図１のＢ―Ｂ線に沿う断面図および、トレッド踏面の摩耗後のトレッドパターンの部分展開図である。
【図３】閉鎖溝の他の分岐態様を示す、閉鎖溝の断面図および、摩耗後のトレッドパターンの要部拡大展開図である。
【図４】閉鎖溝のさらに他の分岐態様を示す、閉鎖溝の断面図および、摩耗後のトレッドパターンの要部拡大展開図である。
【図５】従来例タイヤのトレッドパターンを示す部分展開図である。
【図６】比較例タイヤ１のトレッドパターンを示す部分展開図である。
【発明を実施するための形態】
【００２２】
以下に図面を参照しつつ、この発明の実施の形態について説明する。
なお、図示は省略するが、各図に示す空気入りタイヤも、一般的なラジアルタイヤと同様に、ビード部に配設した一対のビードコアと、ビード部からトロイド状に延びるカーカスと、そのカーカスのタイヤ径方向外側に配設したベルトと、トレッドゴム等とを具えてなるものである。
【００２３】
図中１は、トレッドゴムにより形成されるトレッド踏面を示し、この空気入りタイヤでは、トレッド踏面１に、トレッド周方向に略直線状に延びる四本の環状周溝２〜５を、トレッド幅方向に相互に所要の間隔をおいて、トレッド踏面１の全周にわたって連続させて設ける。
環状周溝は、図示は省略するが、１〜３本または５本以上設けることもできる。
【００２４】
そしてここでは、環状周溝２〜５により、トレッド踏面１に、複数の陸部としての、タイヤ赤道面Ｃ上に位置するセンターリブ６、トレッド幅方向の最外側に位置するそれぞれのショルダーリブ７，８および、センターリブ６とショルダーリブ７，８との間に位置するそれぞれの中間リブ９，１０を区画形成する。
なお、図示のリブパターンに替えて、図示しないブロックパターンとすることも可能である。
【００２５】
ここにおいて、図１に示す実施形態では、それぞれのショルダーリブ７，８の表面に、そのリブ表面で一箇所の交点Ｖ１で相互に交わって延びるとともに、両端がそのショルダーリブ内で終端する、たとえば二本の閉鎖溝１１，１２を設けて、それらの二本の閉鎖溝１１，１２、すなわち、トレッド周方向の延在成分の大きい閉鎖溝１１と、トレッド幅方向の延在成分の大きい閉鎖溝１２とによって、略「十」字状をなす交差溝１３を形成し、該交差溝１３を、トレッド周方向に相互に間隔をおいて複数個配置する。
【００２６】
リブ表面にこのような交差溝１３を設けたタイヤによれば、雪上走行時に、トレッド接地面内で、ショルダーリブ７，８内で終端する二本の閉鎖溝１１，１２からなる交差溝１３に入り込む雪が、とくに、相互に交わる閉鎖溝１１，１２の交点Ｖ１の付近で強固に押し固められて大きな雪柱剪断力を発揮することになるので、雪上トラクション性能を有効に向上させることができる。
また、交差溝１３を構成する閉鎖溝１１，１２を、隣接するショルダー側周溝２，５および、後述するラグ溝のいずれにも開口させることなく、ショルダーリブ７，８内で終端させたことから、ショルダーリブ７，８の周方向剛性の低下を小さく抑えて、乾燥路面での所要の走行性能をも十分に確保することができる。
【００２７】
なお、図１に示すところでは、略「十」字状をなす交差溝１３が、リブ表面で、相互に交差させた二本の閉鎖溝１１，１２の交点Ｖ１から四方向に広がる一個の放射状部分を有するものとしたが、交差溝の放射状部分は、閉鎖溝の交点から三方向または、五方向以上に広がるものとすることもでき、また、リブ表面で、閉鎖溝の本数および交点の個数を増やすことによって、交差溝が、二個以上の放射状部分を有するものとすることも可能である。
【００２８】
このように、トレッド踏面１のリブ表面に交差溝１３を設けたタイヤは、すぐれた雪上性能を発揮することができるが、タイヤが使用に供されてトレッド踏面１が摩耗するに従って、環状周溝２〜５やラグ溝等の溝容積が減少して、それらの溝での雪柱剪断力が低下し、併せて、それぞれのリブ６〜８を形成するゴムの経年劣化による硬化によって、リブ６〜８およびサイプによるエッジ効果もまた低下することから、リブ表面に交差溝１３を形成しても、タイヤの使用に伴う雪上性能の低下が余儀なくされる。
【００２９】
これに対処するべく、この発明では、交差溝１３を構成する閉鎖溝１１，１２の一本以上、たとえば、トレッド周方向に延在する成分の大きい閉鎖溝１１を、図２（ａ）に断面図で例示するように、タイヤ半径方向内側に向かう途中で分岐させて、図では二個の分岐部分１１ａ，１１ｂを形成するとともに、それぞれの分岐部分１１ａ，１１ｂでも、他の閉鎖溝１２に交わるものとして、閉鎖溝１１，１２の交点の個数を、分岐位置Ｂに対してタイヤ半径方向外側よりも内側で増加させる。
なお、分岐位置Ｂは、図２（ａ）に示すように、トレッド踏面の摩耗時にそれぞれの分岐部分１１ａ，１１ｂがリブ表面に露出し始める、タイヤ半径方向の位置とする。
【００３０】
このことによれば、タイヤが使用に供されて、リブ表面が分岐位置Ｂを越えて摩耗した後は、図２（ｂ）に、摩耗後のトレッドパターンの展開平面図で示すように、分岐閉鎖溝１１のそれぞれの分岐部分１１ａおよび１１ｂがともに、トレッド幅方向に延在する成分の大きい他の閉鎖溝１２に交わって延在する姿勢で、摩耗後のトレッド踏面に露出し、図１に示す、摩耗前のパターンと比較して、閉鎖溝の交点Ｖ１，Ｖ２の個数、ひいては、交差溝１３の放射状部分の個数が増加することになるので、交差溝１３の、とくに放射状部分での雪柱剪断力の増加に基き、環状周溝その他の溝容積の減少等によって低下する雪上トラクション性能を補って、長期間にわたってすぐれた雪上性能を発揮させることができる。
【００３１】
ここで、分岐位置Ｂの、リブ表面からの、リブ表面に立てた法線に沿う方向の深さＤは、先述したタイヤ姿勢で、その交差溝１３に隣接するショルダー側周溝２の同様の深さＤｐから３．２ｍｍを差し引いた深さ（Ｄｐ−３．２ｍｍ）の３０％〜７０％の範囲とすることが好ましい。
これにより、閉鎖溝１１をタイヤ半径方向内側で分岐させることによる、ショルダーリブ７，８の剛性の大幅な低下を招くことなしに、トレッド踏面１の摩耗時に、閉鎖溝１１，１２の交点数の増加によって雪上性能を有効に高めることができる。
【００３２】
またここで、トレッド踏面１が摩耗した後の交差溝１３での雪柱剪断力を大きくして、摩耗後に高い雪上トラクション性能を発揮させるため、分岐閉鎖溝１１の分岐部分１１ａ，１１ｂでの、他の閉鎖溝１２との交点Ｖ２，Ｖ１を含む、分岐閉鎖溝１１の延在長さＬの５０％以上の領域で、分岐部分１１ａ，１１ｂの溝深さＤｂを、ショルダー側周溝２の溝深さＤｐの５０％以上とすることが好ましい。
なお、分岐部分１１ａ，１１ｂの溝深さＤｂは、前記分岐位置Ｂから、リブ表面に立てた法線に沿って、分岐部分１１ａ，１１ｂの溝底に到るまでの深さを意味する。
【００３３】
そしてまた、分岐閉鎖溝１１の、分岐位置Ｂでの分岐部分１１ａ，１１ｂの溝幅は、２ｍｍ〜３ｍｍの範囲内とすることが、ドライ走行性能および、摩耗後の雪上性能を高い次元で両立できる点で好ましい。
【００３４】
なおここで、図１，２に示すように、トレッド周方向の延在成分の大きい閉鎖縦溝１１を、タイヤ半径方向内側に向かう途中で分岐させたときは、トレッド幅方向の延在成分の大きい閉鎖横溝１２を分岐させる場合に比して、ショルダーリブ７，８の周方向剛性の低下を抑制しつつ、トレッド踏面１の摩耗後に、閉鎖溝１１，１２の交点数の増加に基く、雪柱剪断力の向上をもたらすことができる。
【００３５】
図２（ａ）に示すところでは、閉鎖溝１１は、リブ表面からタイヤ半径方向内側に向かう途中の一箇所の分岐位置Ｂで、そのまま直進する分岐部分１１ｂと、図では左側のトレッド幅方向外側に枝分かれして半径方向内側に向かう分岐部分１１ａとに分岐させているが、閉鎖溝は、図３（ａ）に例示するように、タイヤ半径方向内側と外側の二箇所の分岐位置Ｂ１，Ｂ２のそれぞれで計三個の分岐部分３１ａ，３１ｂ，３１ｃに分岐させることもでき、また、図４（ａ）に例示するように、分岐位置Ｂで、図の左右両側のそれぞれの分岐部分４１ａ，４１ｂに分岐させることもできる。
なおここで、図４（ａ）に示す分岐閉鎖溝４１で、分岐位置Ｂよりも半径方向内側で、分岐部分４１ａと４１ｂとの間に存在する細い溝は、ショルダーリブ７に設けた縦サイプ１４である。
【００３６】
なお、図１に示すトレッドパターンと同様のパターンで、閉鎖縦溝１１を、図３（ａ）に示す如く分岐させた場合は、半径方向内側の分岐位置Ｂ２を越えて摩耗した後のトレッド踏面に、図３（ｂ）に示すように、閉鎖横溝３２に交わって延びる三個の分岐部分３１ａ，３１ｂ，３１ｃが露出することになり、あるいは、閉鎖縦溝１１を、図４（ａ）に示す如く分岐させた場合は、図４（ｂ）に示すように、摩耗後のトレッド踏面に、閉鎖横溝４２と交わって延びるとともに、サイプ１４を隔てた両側に位置するそれぞれの分岐部分４１ａ，４１ｂが露出することになる。
【００３７】
ところで、図１に示すところでは、ショルダーリブ７，８のそれぞれに、複数のラグ溝１５を、トレッド周方向に所要の間隔をおいて配設している。
ここで、図示のラグ溝１５は、トレッド幅方向に向けて幾分湾曲して延びるとともに、トレッド端付近で略直角に折れ曲がってトレッド周方向に延びる「Ｌ」字状の屈曲長溝１６と、屈曲長溝１６の周方向延在部分のトレッド幅方向内側で該屈曲長溝１６に開口してトレッド周方向に延びるとともに、トレッド幅方向内側に略直角に折れ曲がって延びる、屈曲長溝１６よりも小さい「Ｌ」字状の屈曲短溝１７とで構成する。
なお、ラグ溝１５を構成するこれらの屈曲溝１６，１７はともに、図示のように、隣接するショルダー側周溝２，５に開口させずに、ショルダーリブ７，８内で終了させることができる。
【００３８】
そして、たとえば、図１に示すように、前記屈曲短溝１７の幅方向延在部分と、その延在部分のトレッド幅方向内側で平行に延びる閉鎖横溝１２との間に、それらの端部のそれぞれに連通する横サイプ１８を設け、また、トレッド周方向に互いに隣接する閉鎖縦溝１１の相互間に、それらの閉鎖縦溝１１のそれぞれの対向する端部に連通する縦サイプ１４を設けたときは、トレッド接地面内での、閉鎖溝１１，１２の柔軟な変形を許容して、閉鎖溝１１，１２からなる交差溝１３での雪柱剪断力を一層高めることができる。
【００３９】
なお、図１，２に示すところでは、タイヤ半径方向内側に向かう途中で分岐しないものとした閉鎖横溝１２の延在長さのトレッド幅方向成分は、トレッド幅の２％〜２５％の範囲内とすることが、閉鎖横溝１２で十分な圧雪効果を発揮させつつ、排水性の確保に必要な二本以上の周溝２〜５の適正な配置を実現できる点で好ましい。
また好ましくは、閉鎖横溝１２の、トレッド周方向に対する傾斜角度を、トレッド接地面内で、３０°〜１５０°の範囲内、より好ましくは鋭角側で３０°〜６０°の範囲内とする。これにより、スノートラクション性能およびスノーハンドリング性能を高い次元で両立することができる。
【００４０】
図示のパターンでは、中間リブ９，１０に、ショルダー側周溝２，５に開口してトレッド周方向に対して傾斜して延びる傾斜長溝１９を、周方向に間隔をおいて設けるとともに、傾斜長溝１９の、タイヤ赤道面Ｃ側の端部に連通してセンター側周溝３，４まで延びる傾斜サイプ２０および、傾斜長溝１９の相互間で傾斜長溝１９と略平行に延びるとともにトレッド周方向に折れ曲がって延びて、傾斜長溝１９と傾斜サイプとの連通箇所を通過する屈曲サイプ２１のそれぞれを設けている。
またここでは、センターリブ６の側部部分に、トレッド周方向に対して傾斜して延びてセンター側周溝３，４の一方に開口する傾斜短溝２２を、トレッド周方向に千鳥状に配置して設け、また、センターリブ６に、周方向に向けてジグザグ状に延びて、その延在途中で両側の各傾斜短溝２２に連通するジグザグ状サイプ２３と、トレッド周方向に隣り合う傾斜短溝２２の相互間で、周方向に傾斜して延びて両センター側周溝３，４に開口するオープンサイプ２４とのそれぞれを、周方向に間隔をおいて全周にわたって設ける。
【実施例】
【００４１】
タイヤサイズが２１５／５５Ｒ１７の実施例タイヤ、従来例タイヤおよび比較例タイヤを試作し、それらの性能を評価したので、以下に説明する。
【００４２】
実施例タイヤ１は、図１および図２に示す構造のトレッドパターンを有するものとし、タイヤ半径方向内側に向かう途中で分岐させた閉鎖縦溝の分岐位置の深さＤを、環状周溝の溝深さＤｐから３．２ｍｍを差し引いた深さ（Ｄｐ−３．２ｍｍ）の５０％とした。
実施例タイヤ２〜５はそれぞれ、分岐閉鎖溝の分岐位置の深さＤを表１に示すように変更したことを除いて、実施例タイヤ１と同様の構成を有するものとした。
【００４３】
従来例タイヤは、図５に示すトレッドパターンを有するものであり、ショルダーリブの、ラグ溝のトレッド幅方向内側に設けた幅方向溝を、ショルダー側周溝に開口させたものである。
また、比較例タイヤ１は、図６に示すトレッドパターンを有するものであり、ショルダーリブに設けた幅方向溝の本数を、従来例タイヤに比して増加させたものである。
なお、比較例タイヤ２は、図１に示すトレッドパターンを有するものとした。
そして、これらのいずれの従来例タイヤおよび比較例タイヤ１，２も、前記幅方向溝ないしは閉鎖溝を、タイヤ半径方向内側に向かう途中で分岐させないものとした。
【００４４】
以上に述べた各供試タイヤについて、サイズ７Ｊのリムに組付けるとともに、空気圧２３０ｋＰａを充填して、以下の摩耗後スノートラクション性能試験およびドライ制動性能試験を行った。
【００４５】
<摩耗後スノートラクション性能試験>
トレッド踏面を、環状周溝の溝深さＤｐから１．６ｍｍを差し引いた深さ（Ｄｐ−１．６ｍｍ）の５０％摩耗させた状態で車両に装着し、雪路のコース上で、車両を停止状態から５０ｍ走行させて、車両の加速時間を計測することで、摩耗後のスノートラクション性能を評価した。その結果を表１に示す。
ここで、表１に示す指数値は、従来例タイヤの加速時間の逆数を１００としたものであり、数値が大きいほどトラクション性能に優れることを表す。
【００４６】
<ドライ制動性能試験>
トレッド踏面が摩耗していない状態で、乗車人数が２名に相当する実車荷重の条件の下、乾燥路面で１００Ｋｍ／ｈからフル制動させたときの制動距離を測定した。その結果も表１に示す。
表１に示す指数値は、従来例タイヤの制動距離の逆数を１００としたものであり、数値が大きいほど制動性能に優れることを表す。
【００４７】
【表１】
2013001340.tif 000003
【００４８】
表１に示す結果から、ショルダーリブに設ける幅方向溝を従来例タイヤよりも増やした比較例タイヤ１は、摩耗後スノートラクション性能が向上している一方で、ショルダーリブの周方向剛性の低下によって新品時ドライ制動性能が大幅に低下していることが解かる。また、表１に示すところから明らかなように、図１に示すトレッドパターンを有し、かつ閉鎖溝を分岐させないものとした比較例タイヤ２は、すぐれた新品時ドライ制動性能を発揮し得るものの、トレッド踏面の摩耗による雪上性能の低下に起因して、摩耗時スノートラクション性能が低下している。
これに対し実施例タイヤ１〜４は、新品時ドライ制動性能が大きく低下することなしに、摩耗後スノートラクション性能が向上していることが解かる。
【００４９】
なお、表１に示すところでは、実施例タイヤ５が、従来例タイヤと同程度の摩耗スノートラクション性能を発揮しているが、これは、試験を、トレッド踏面が（Ｄｐ−１．６ｍｍ）の５０％摩耗した状態、つまり、実施例タイヤ５の分岐閉鎖溝の分岐部分が未だにトレッド踏面に露出していない状態で行ったことによるものと考えられる。
また、分岐閉鎖溝の分岐位置の深さＤを、（Ｄｐ−３．２ｍｍ）の３０％〜７０％の範囲内とした実施例タイヤ１〜３では、分岐位置の深さＤをその数値範囲から外れるものとした実施例タイヤ４，５に比して、高い摩耗後スノートラクション性能または、高い新品時ドライ制動性能が得られることが解かる。
【００５０】
従って、この発明の空気入りタイヤによれば、トレッド踏面に摩耗が生じていない状態での、ドライ走行性能の低下を防止しつつ、すぐれた雪上性能を長期間にわたって発揮し得ることは明らかである。
【符号の説明】
【００５１】
１  トレッド踏面
２〜５  環状周溝
６〜１０  リブ
１１，１２，３１，３２，４１，４２  閉鎖溝
１１ａ，１１ｂ，３１ａ〜３１ｃ，４１ａ，４１ｂ  分岐部分
１３，４３，５３  交差溝
１４  縦サイプ
１５  ラグ溝
【図１】
2013001340.tif 000004
【図２】
2013001340.tif 000005
【図３】
2013001340.tif 000006
【図４】
2013001340.tif 000007
【図５】
2013001340.tif 000008
【図６】
2013001340.tif 000009